(57)【要約】  本開示は、ディスプレイ装置の角度光分布を改善するためのシステム、方法および装置を提供する。開口または遮光層内の少なくとも２つの開口を通り抜ける光を変調する、より小型のシャッター式ディスプレイ装置が、少なくとも２つの開口のサブセットの幅を開口の残りに対して不釣り合いに小さくすることによって、より大型のシャッター式光変調器と同様の視野角特性を与えることができる。そのような開口の幅は視野角の主な決定要因の１つであるので、シャッターアセンブリの光スループットのより大きなパーセンテージが、より広い幅の開口を通り抜けることができるようにして、ディスプレイのためのより広い視野角を保持するのを助ける。
2016526179.tif 000002
【特許請求の範囲】
【請求項１】
電気機械システム（ＥＭＳ）ディスプレイ要素を有する装置であって、
少なくとも第１の遮光層開口および第２の遮光層開口を画定する遮光層であって、前記第１の遮光層開口は前記第２の遮光層開口の対応する寸法より少なくとも約２５％大きい少なくとも１つの寸法を有する、遮光層と、
前記遮光層の上方に支持され、前記第１の遮光層開口および前記第２の遮光層開口を光が通り抜けるのを選択的に阻止するために遮光状態と透光状態との間で移動するように構成される光遮断構成要素とを備える、電気機械システム（ＥＭＳ）ディスプレイ要素を有する装置。
【請求項２】
前記光遮断構成要素は、前記光遮断構成要素が前記透光状態にあるときに、前記光遮断構成要素が、前記第１の遮光層開口および前記第２の遮光層開口のうちの少なくとも一方と実質的に整列するような光遮断構成要素開口を画定する、請求項１に記載の装置。
【請求項３】
前記遮光層は少なくとも第３の遮光層開口を画定し、前記光遮断構成要素は、前記遮光状態において、前記少なくとも第３の遮光層開口を光が通り抜けるのを阻止するように構成される、請求項１に記載の装置。
【請求項４】
前記少なくとも第３の遮光層開口は、前記第１の遮光層開口と実質的に同じ寸法を有する、請求項３に記載の装置。
【請求項５】
前記第１の遮光層開口、前記第２の遮光層開口および少なくとも第３の遮光層開口は、前記光遮断構成要素の運動軸に沿って実質的に一列に配置され、前記第２の遮光層開口は前記列の一端に位置決めされる、請求項４に記載の装置。
【請求項６】
前記第２の遮光層開口の前記対応する寸法より少なくとも２５％大きい前記第１の遮光層開口の前記少なくとも１つの寸法は、前記光遮断構成要素の前記運動軸に沿った寸法である、請求項５に記載の装置。
【請求項７】
前記第１の遮光層開口の少なくとも１つの寸法は、前記第２の遮光層開口の前記対応する寸法より約１００％大きい、請求項１に記載の装置。
【請求項８】
前記ＥＭＳディスプレイ要素を含むディスプレイと、
前記ディスプレイと通信するように構成されるプロセッサであって、前記プロセッサは画像データを処理するように構成される、プロセッサと、
前記プロセッサと通信するように構成されるメモリデバイスとをさらに備える、請求項１に記載の装置。
【請求項９】
前記ディスプレイはさらに、
少なくとも１つの信号を前記ディスプレイに送るように構成されるドライバ回路と、
前記ドライバ回路に前記画像データの少なくとも一部分を送るように構成されるコントローラとを含む、請求項８に記載の装置。
【請求項１０】
前記ディスプレイはさらに、
前記画像データを前記プロセッサに送るように構成される画像ソースモジュールを含み、前記画像ソースモジュールは、受信機、トランシーバ、および送信機のうちの少なくとも１つを備える、請求項８に記載の装置。
【請求項１１】
前記ディスプレイはさらに、
入力データを受信し、前記入力データを前記プロセッサに通信するように構成される入力デバイスを含む、請求項８に記載の装置。
【請求項１２】
ディスプレイ装置を形成するための方法であって、前記方法は、
基板上に遮光層を形成するステップであって、前記遮光層を形成するステップは、第１の開口が第２の開口の対応する寸法より少なくとも約２５％大きい少なくとも１つの寸法を有するような前記第１の開口および前記第２の開口を形成することを含む、形成するステップと、
前記第１の開口および前記第２の開口を光が通り抜けるのを選択的に阻止するために遮光状態と透光状態との間で移動するように構成される可動光遮断構成要素を形成するステップとを含む、ディスプレイ装置を形成するための方法。
【請求項１３】
前記可動光遮断構成要素を形成するステップは、前記光遮断構成要素が前記透光状態にあるときに、光遮断構成要素開口が前記第１の開口および前記第２の開口のうちの少なくとも１つと実質的に整列するような、前記光遮断構成要素開口を画定することを含む、請求項１２に記載の方法。
【請求項１４】
前記遮光層を形成するステップはさらに、前記第１の開口の前記寸法と実質的に同じ寸法を有する第３の開口を形成することを含む、請求項１３に記載の方法。
【請求項１５】
前記遮光層を形成するステップはさらに、前記第１の開口、前記第２の開口および前記第３の開口を前記光遮断構成要素の運動軸に沿って実質的に一列に配置することを含む、請求項１４に記載の方法。
【請求項１６】
前記遮光層を形成するステップはさらに、前記光遮断構成要素の運動軸に沿った前記第１の開口の少なくとも１つの寸法が前記第２の開口の前記対応する寸法より少なくとも２５％大きいような、前記第１の開口および前記第２の開口を形成することを含む、請求項１５に記載の方法。
【請求項１７】
前記遮光層を形成するステップはさらに、前記第１の開口の前記寸法が前記第２の開口の前記対応する寸法より１００％大きいような前記第１の開口および前記第２の開口を形成することを含む、請求項１２に記載の方法。
【発明の詳細な説明】
【技術分野】
【０００１】
関連出願
本特許出願は、本出願の譲受人に譲渡され、参照により本明細書に明確に組み込まれる、２０１３年５月６日に出願された「ＤＩＳＰＬＡＹ  ＥＬＥＭＥＮＴＳ  ＩＮＣＯＲＰＯＲＡＴＩＮＧ  ＡＳＹＭＭＥＴＲＩＣ  ＡＰＥＲＴＵＲＥＳ」と題する米国特許出願第１３／８８８，０２２号の優先権を主張する。
【０００２】
本開示は、画像ディスプレイの分野に関し、詳細には、画像ディスプレイのピクセルに関する。
【背景技術】
【０００３】
ディスプレイにおいて使用するためのシャッター式光変調器が実証されている。そのような光変調器は、バックライトの前方に位置決めされる遮光層内に形成された開口を選択的に閉鎖することによって動作する。ピクセル／インチ（ＰＰＩ）において測定された、高いディスプレイ解像度への要求を考えると、その対応する開口のサイズとともに、そのようなシャッター式光変調器のサイズを小型化することへの圧力が高まる。長方形のような細長い形状を有する開口の場合に特に、開口のサイズを小さくすると、短い方の寸法が、ディスプレイの視野角に悪影響を及ぼす可能性がある。
【発明の概要】
【課題を解決するための手段】
【０００４】
本開示のシステム、方法およびデバイスは、それぞれいくつかの発明的態様を有し、それらのうちの単一の態様だけが、本明細書で開示する望ましい属性に関与するとは限らない。
【０００５】
本開示において説明される主題の１つの革新的な態様は、電気機械システム（ＥＭＳ）ディスプレイ要素を有する装置において実現することができる。ＥＭＳディスプレイ要素は、少なくとも第１の遮光層開口と第２の遮光層開口とを画定する遮光層を含むことができ、第１の遮光層開口は第２の遮光層開口の対応する寸法より少なくとも約２５％大きい少なくとも１つの寸法を有する。また、ＥＭＳディスプレイは、遮光層の上方に支持され、第１の遮光層開口および第２の遮光層開口を光が通り抜けるのを選択的に阻止するために、遮光状態と透光状態との間で移動するように構成される光遮断構成要素も含むことができる。
【０００６】
いくつかの実施態様では、光遮断構成要素は、光遮断構成要素が透光状態にあるときに、光遮断構成要素開口が第１の遮光層開口および第２の遮光層開口のうちの少なくとも一方と実質的に整列するような光遮断構成要素開口を画定する。
【０００７】
いくつかの他の実施態様では、遮光層は少なくとも第３の遮光層開口を画定し、光遮断構成要素は、遮光状態にあるときに、少なくとも第３の遮光層開口を光が通り抜けるのを阻止するように構成される。いくつかの実施態様では、少なくとも第３の遮光層開口は、第１の遮光層開口と実質的に同じ寸法を有する。いくつかの他の実施態様では、第１の遮光層開口、第２の遮光層開口および少なくとも第３の遮光層開口は、光遮断構成要素の運動軸に沿って実質的に一列に配置され、第２の遮光層開口はその列の一端に位置決めされる。
【０００８】
いくつかの実施態様では、第２の遮光層開口の対応する寸法より少なくとも２５％大きい第１の遮光層開口の少なくとも１つの寸法は、光遮断構成要素の運動軸に沿った寸法である。いくつかの他の実施態様では、第１の遮光層開口の少なくとも１つの寸法は、第２の遮光層開口の対応する寸法より約１００％大きい。
【０００９】
いくつかの実施態様では、その装置はさらに、ＥＭＳディスプレイ要素を含むディスプレイと、ディスプレイと通信するように構成されるプロセッサであって、プロセッサは画像データを処理するように構成される、プロセッサと、プロセッサと通信するように構成されるメモリデバイスとを含むことができる。いくつかのそのような実施態様では、ディスプレイはさらに、ディスプレイに少なくとも１つの信号を送るように構成されるドライバ回路と、ドライバ回路に画像データの少なくとも一部分を送るように構成されるコントローラとを含むことができる。
【００１０】
いくつかの実施態様では、ディスプレイはさらに、プロセッサに画像データを送るように構成される画像ソースモジュールを含むことができ、画像ソースモジュールは、受信機、トランシーバ、および送信機のうちの少なくとも１つを含む。いくつかの他の実施態様では、ディスプレイはさらに、入力データを受信し、入力データをプロセッサに通信するように構成される入力デバイスを含む。
【００１１】
本開示において説明される主題の別の革新的な態様は、ディスプレイ装置を形成するための方法において実現することができ、その方法は、基板上に、第１の開口が第２の開口の対応する寸法より少なくとも約２５％大きい少なくとも１つの寸法を有するような、第１の開口および第２の開口を有する遮光層を形成することを含む。その方法はさらに、第１の開口および第２の開口を光が通り抜けるのを選択的に阻止するために、遮光状態と透光状態との間で移動するように構成される可動光遮断構成要素を形成することを含むことができる。
【００１２】
いくつかの実施態様では、可動光遮断構成要素を形成することは、光遮断構成要素が透光状態にあるときに、光遮断構成要素開口が第１の開口および第２の開口のうちの少なくとも一方と実質的に整列するような、光遮断構成要素開口を画定することを含む。いくつかの他の実施態様では、遮光層を形成することはさらに、第１の開口の寸法と実質的に同じ寸法を有する第３の開口を形成することを含む。いくつかの他の実施態様では、遮光層を形成することはさらに、第１の開口、第２の開口および第３の開口を光遮断構成要素の運動軸に沿って実質的に一列に配置することを含む。
【００１３】
いくつかの実施態様では、遮光層を形成することはさらに、光遮断構成要素の運動軸に沿っている第１の開口の少なくとも１つの寸法が第２の開口の対応する寸法より少なくとも２５％大きいような、第１の開口および第２の開口を形成することを含む。いくつかの他の実施態様では、遮光層を形成することはさらに、第１の開口の寸法が第２の開口の対応する寸法より１００％大きいような、第１の開口および第２の開口を形成することを含む。
【００１４】
本明細書で説明する主題の１つまたは複数の実装形態の詳細は、添付の図面および以下の説明において示す。本概要で提供する例は、主に電気機械システム（ＥＭＳ）方式ディスプレイに関して説明するが、本明細書で提供する概念は、他のタイプのディスプレイ、たとえば、液晶ディスプレイ（ＬＣＤ）、有機発光ダイオード（ＯＬＥＤ）ディスプレイ、電気泳動ディスプレイ、および電界放出ディスプレイ、ならびに他の非ディスプレイＥＭＳデバイス、たとえば、ＥＭＳマイクロフォン、センサ、および光スイッチに適用することができる。他の特徴、態様および利点は、説明、図面および特許請求の範囲から明らかになろう。以下の図の相対寸法は、一定の縮尺で描かれてはいない場合があることに留意されたい。
【図面の簡単な説明】
【００１５】
【図１Ａ】例示的な直視型マイクロ電気機械システム（ＭＥＭＳ）方式ディスプレイ装置の概略図である。
【図１Ｂ】例示的なホストデバイスのブロック図である。
【図２Ａ】例示的な二重アクチュエータシャッターアセンブリの図である。
【図２Ｂ】例示的な二重アクチュエータシャッターアセンブリの図である。
【図３】例示的なディスプレイ装置の図である。
【図４Ａ】例示的なディスプレイ装置の図である。
【図４Ｂ】例示的なディスプレイ装置の図である。
【図５Ａ】例示的なディスプレイ装置の図である。
【図５Ｂ】例示的なディスプレイ装置の図である。
【図６】非対称開口を有するディスプレイ装置を形成するための例示的なプロセスのフロー図である。
【図７Ａ】複数のディスプレイ要素を含む例示的なディスプレイデバイスのシステムブロック図である。
【図７Ｂ】複数のディスプレイ要素を含む例示的なディスプレイデバイスのシステムブロック図である。
【発明を実施するための形態】
【００１６】
様々な図面における同じ参照符号および記号は、同じ要素を示している。
【００１７】
以下の説明は、本開示の発明的態様について説明する目的で、いくつかの実装形態を対象とする。ただし、本明細書の教示が多数の異なる方法で適用され得ることは、当業者には容易に認識されよう。説明する実装形態は、動いている（ビデオなど）か、動いていない（静止画像など）かにかかわらず、および、テキストであるか、グラフィックであるか、絵であるかにかかわらず、画像を表示するように構成され得る、任意のデバイス、装置、またはシステムにおいて実施され得る。より詳細には、説明する実装形態は、限定はしないが、携帯電話、マルチメディアインターネット対応セルラー電話、モバイルテレビジョン受信機、ワイヤレスデバイス、スマートフォン、Ｂｌｕｅｔｏｏｔｈ（登録商標）デバイス、携帯情報端末（ＰＤＡ）、ワイヤレス電子メール受信機、ハンドヘルドまたはポータブルコンピュータ、ネットブック、ノートブック、スマートブック、タブレット、プリンタ、コピー機、スキャナ、ファクシミリデバイス、全地球測位システム（ＧＰＳ）受信機／ナビゲータ、カメラ、デジタルメディアプレーヤ（ＭＰ３プレーヤなど）、カムコーダ、ゲーム機、腕時計、時計、計算機、テレビジョンモニタ、フラットパネルディスプレイ、電子リーディングデバイス（たとえば、電子リーダー）、コンピュータモニタ、自動車用ディスプレイ（オドメーターディスプレイ、および速度計ディスプレイなどを含む）、コックピットコントロールおよび／またはディスプレイ、カメラビューディスプレイ（車両中のリアビューカメラのディスプレイなど）、電子写真、電子ビルボードまたは標示、プロジェクタ、アーキテクチャ構造物、電子レンジ、冷蔵庫、ステレオシステム、カセットレコーダまたはプレーヤ、ＤＶＤプレーヤ、ＣＤプレーヤ、ＶＣＲ、ラジオ、ポータブルメモリチップ、洗濯機、乾燥機、洗濯機／乾燥機、パーキングメーター、パッケージング（マイクロ電気機械システム（ＭＥＭＳ）適用例を含む電気機械システム（ＥＭＳ）適用例、ならびに、非ＭＥＭＳ適用例におけるものなど）、審美構造物（１つの宝飾品または衣類上の画像のディスプレイなど）、ならびに様々なＥＭＳデバイスなど、様々な電子デバイス中に含まれるか、またはそれに関連付けられ得ることが企図される。本明細書の教示はまた、限定はしないが、電子スイッチングデバイス、無線周波フィルタ、センサ、加速度計、ジャイロスコープ、動き感知デバイス、磁力計、コンシューマーエレクトロニクスのための慣性構成要素、コンシューマーエレクトロニクス製品の部品、バラクタ、液晶デバイス、電気泳動デバイス、駆動方式、製造プロセス、および電子テスト機器など、非ディスプレイ適用例においても使用され得る。したがって、本教示は、単に図に示す実装形態に限定されることを意図しておらず、代わりに、当業者に直ちに明らかになるであろう広い適用性を有する。
【００１８】
開口層または遮光層内の少なくとも２つの開口を通り抜ける光を変調する、より小型のシャッター式光変調器が、少なくとも２つの開口のサブセットの幅を開口の残りに対して不釣り合いに小さくすることによって、より大型のシャッター式光変調器と同様の視野角特性を与えることができる。開口の幅は視野角の主な決定要因の１つであるので、シャッターアセンブリの光スループットのより大きなパーセンテージが、より広い幅の開口を通り抜けることができるようにして、ディスプレイのためのより広い視野角を保持するのを助ける。
【００１９】
本開示において説明される主題の特定の実施態様は、以下の潜在的な利点のうちの１つまたは複数を実現するために実施することができる。光のより大きなパーセンテージが、狭い方の開口ではなく、広い方の開口に通されるように、等しくないサイズの開口、または非対称の開口を有することによって、ディスプレイ装置の全体的な視野角および／または角度光分布を改善することができる。非対称の開口を有することは、より高いピクセル／インチ（ＰＰＩ）のディスプレイの要求を満たそうとしてピクセルの全体サイズを小さくすることから生じる場合がある、ディスプレイデバイスの角度光分布の縮小を低減または回避する。
【００２０】
いくつかの他の実施態様では、より広い幅を有する他の開口に対して、より狭い幅を有する開口を適切に配置することによって、状態間を切り替えるときにシャッターが移動する距離を短縮することができる。シャッターが移動する距離を短縮することによって、シャッターの動作電圧を下げることができ、シャッターの動作速度を高めることができる。いくつかの他の実施態様では、開口の非対称の構成は、シャッターが閉状態にあるときに、改善された遮光特性を与える。
【００２１】
図１Ａは、例示的な直視型ＭＥＭＳ方式ディスプレイ装置１００の概略図を示している。ディスプレイ装置１００は、行および列に配列された複数の光変調器１０２ａ〜１０２ｄ（全体として「光変調器１０２」）を含む。ディスプレイ装置１００において、光変調器１０２ａおよび１０２ｄは開状態にあり、光を通させる。光変調器１０２ｂおよび１０２ｃは閉状態にあり、光の通過を妨げる。光変調器１０２ａ〜１０２ｄの状態を選択的にセットすることによって、ディスプレイ装置１００は、１つのランプまたは複数のランプ１０５で照射された場合、バックライト付きディスプレイ用の画像１０４を形成するのに利用することができる。別の実装形態では、装置１００は、装置の前面から発する周辺光の反射によって、画像を形成することができる。別の実装形態では、装置１００は、ディスプレイの前面に配置された１つのランプまたは複数のランプからの光の反射によって、すなわちフロントライトを使用して、画像を形成することができる。
【００２２】
いくつかの実装形態では、各光変調器１０２は、画像１０４中の画素１０６に対応する。いくつかの他の実装形態では、ディスプレイ装置１００は、複数の光変調器を利用して、画像１０４中の画素１０６を形成することができる。たとえば、ディスプレイ装置１００は、３つの色固有の光変調器１０２を含み得る。特定の画素１０６に対応する色固有の光変調器１０２のうちの１つまたは複数を選択的に開くことによって、ディスプレイ装置１００は、画像１０４中のカラー画素１０６を生成することができる。別の例では、ディスプレイ装置１００は、画像１０４中のルミナンスレベルを提供するために、画素１０６ごとに２つ以上の光変調器１０２を含む。画像に関して、「画素」は、画像の解像度によって定義される最も小さいピクチャ要素に対応する。ディスプレイ装置１００の構造構成要素に関して、「画素」という用語は、画像の単一画素を形成する光を変調するのに使用される、機械構成要素と電気構成要素との組合せを指す。
【００２３】
ディスプレイ装置１００は、投影型アプリケーションで通常見出される結像光学素子を含まなくてよいという点で、直視型ディスプレイである。投影型ディスプレイでは、ディスプレイ装置の表面に形成される画像は、スクリーンまたは壁に投影される。ディスプレイ装置は、投影画像よりもかなり小さい。直視型ディスプレイでは、ユーザは、光変調器を含み、場合によってはディスプレイ上で見られる輝度および／またはコントラストを増強するためのバックライトまたはフロントライトを含むディスプレイ装置を直接見ることによって、画像を見る。
【００２４】
直視型ディスプレイは、透過モードまたは反射モードのいずれかで動作し得る。透過型ディスプレイでは、光変調器は、ディスプレイの後ろに配置された１つのランプまたは複数のランプから発する光をフィルタリングし、または選択的に遮断する。場合によっては、各画素を均一に照明できるように、ランプからの光は、光ガイドまたは「バックライト」に注入される。透過直視型ディスプレイは、光変調器を含む一方の基板がバックライトのすぐ上に配置されるサンドイッチアセンブリ配列を円滑にするように、透明基板またはガラス基板の上に構築されることが多い。
【００２５】
各光変調器１０２は、シャッター１０８および開口１０９を含むことができる。画像１０４中の画素１０６を照明するために、シャッター１０８は、見ている人に向かって光が開口１０９を通るように配置される。画素１０６を未点灯のまま保つために、シャッター１０８は、光が開口１０９を通過するのを妨げるように配置される。開口１０９は、各光変調器１０２中の反射材料または光吸収材料を通じてパターニングされた開口部によって画定される。
【００２６】
ディスプレイ装置は、シャッターの移動を制御するための、基板と、光変調器とに接続された制御マトリクスも含む。制御マトリクスは、画素の行ごとに、少なくとも１つの書込み許可相互接続１１０（「スキャンライン相互接続」とも呼ばれる）と、各画素列に対する１つのデータ相互接続１１２と、すべての画素に、または少なくとも、ディスプレイ装置１００中の複数の列と複数の行の両方にある画素に共通電圧を与える１つの共通相互接続１１４とを含む、一連の電気相互接続（相互接続１１０、１１２および１１４など）を含む。適切な電圧（「書込み許可電圧、ＶＷＥ」）の印加に応じて、所与の画素行に対する書込み許可相互接続１１０は、行中の画素を、新規シャッター移動命令を受諾するように準備する。データ相互接続１１２は、新規移動命令を、データ電圧パルスの形で伝達する。データ相互接続１１２に印加されるデータ電圧パルスは、いくつかの実装形態において、シャッターの静電的な移動に直接寄与する。いくつかの他の実装形態では、データ電圧パルスは、トランジスタ、または、データ電圧よりも通常、規模が高い別個の作動電圧の、光変調器１０２への印加を制御する他の非線形回路要素などの、スイッチを制御する。次いで、これらの作動電圧を印加した結果、シャッター１０８の静電駆動移動が生じる。
【００２７】
図１Ｂは、例示的なホストデバイス１２０（すなわち、セルフォン、スマートフォン、ＰＤＡ、ＭＰ３プレーヤ、タブレット、電子リーダー、ネットブック、ノートブックなど）のブロック図を示している。ホストデバイス１２０は、ディスプレイ装置１２８、ホストプロセッサ１２２、環境センサ１２４、ユーザ入力モジュール１２６、および電源を含む。
【００２８】
ディスプレイ装置１２８は、複数のスキャンドライバ１３０（「書込み許可電圧源」とも呼ばれる）、複数のデータドライバ１３２（「データ電圧源」とも呼ばれる）、コントローラ１３４、共通ドライバ１３８、ランプ１４０〜１４６、ランプドライバ１４８、および、図１Ａに示す光変調器１０２などのディスプレイ要素のアレイ１５０を含む。スキャンドライバ１３０は、スキャンライン相互接続１１０に書込み許可電圧を印加する。データドライバ１３２は、データ相互接続１１２にデータ電圧を印加する。
【００２９】
ディスプレイ装置のいくつかの実装形態において、データドライバ１３２は、特に画像１０４のルミナンスレベルがアナログ方式で導出されるべきである場合、ディスプレイ要素のアレイ１５０にアナログデータ電圧を提供するように構成される。アナログ動作において、光変調器１０２は、ある範囲の中間電圧がデータ相互接続１１２を通して印加されると、シャッター１０８における、ある範囲の中間開状態が生じ、その結果、画像１０４におけるある範囲の中間照明状態すなわちルミナンスレベルが生じるように設計される。他の場合には、データドライバ１３２は、２つ、３つまたは４つのデジタル電圧レベルの縮小セットのみをデータ相互接続１１２に印加するように構成される。これらの電圧レベルは、デジタル方式で、シャッター１０８の各々に対して、開状態、閉状態、または他の不連続状態（ｄｉｓｃｒｅｔｅ  ｓｔａｔｅ）をセットするように設計される。
【００３０】
スキャンドライバ１３０およびデータドライバ１３２は、デジタルコントローラ回路１３４（「コントローラ１３４」とも呼ばれる）に接続される。コントローラは、いくつかの実施態様ではあらかじめ決定される場合があるシーケンスとして編成され、行ごとに、および画像フレームごとにグループ化されたデータを、概ねシリアルにデータドライバ１３２に送る。データドライバ１３２は、直列並列データコンバータと、レベルシフティングと、一部のアプリケーション向けにはデジタルアナログ電圧コンバータとを含み得る。
【００３１】
ディスプレイ装置は、場合によっては、共通電圧源とも呼ばれる１組の共通ドライバ１３８を含む。いくつかの実装形態において、共通ドライバ１３８は、たとえば、一連の共通相互接続１１４に電圧を供給することによって、ディスプレイ要素のアレイ１５０内のすべてのディスプレイ要素にＤＣ共通電位を提供する。いくつかの他の実装形態では、共通ドライバ１３８は、コントローラ１３４からのコマンドに従って、ディスプレイ要素のアレイ１５０に対し電圧パルスまたは信号、たとえば、アレイ１５０の複数の行および列中のすべてのディスプレイ要素の同時作動を駆動および／または開始することが可能であるグローバル作動パルスを出す。
【００３２】
異なるディスプレイ機能のためのドライバ（スキャンドライバ１３０、データドライバ１３２、および共通ドライバ１３８など）はすべて、コントローラ１３４によって時間同期される。コントローラからのタイミングコマンドが、ランプドライバ１４８と、ディスプレイ要素のアレイ１５０内の特定の行の書込み許可およびシーケンシングと、データドライバ１３２からの電圧の出力と、ディスプレイ要素作動を可能にする電圧の出力とにより、赤、緑および青および白色ランプ（それぞれ１４０、１４２、１４４、および１４６）の照明を調整する。いくつかの実装形態では、ランプは、発光ダイオード（ＬＥＤ）である。
【００３３】
コントローラ１３４は、シャッター１０８の各々が、新規画像１０４に適した照明レベルにリセットされ得るためのシーケンシングまたはアドレス指定方式を決定する。新規画像１０４は、周期的間隔でセットされ得る。たとえば、ビデオディスプレイの場合、カラー画像１０４またはビデオフレームは、１０〜３００ヘルツ（Ｈｚ）の範囲の周波数でリフレッシュされる。いくつかの実装形態において、アレイ１５０への画像フレームの設定は、交替画像フレームが、赤、緑および青など、交替する一連の色で照射されるように、ランプ１４０、１４２、１４４、および１４６の照明と同期される。それぞれの色のための画像フレームは、カラーサブフレームと呼ばれる。フィールド順次式カラー方法と呼ばれるこの方法では、カラーサブフレームが、２０Ｈｚを超過する周波数で交替される場合、人間の脳は、交替するフレーム画像を、広い連続する範囲の色を有する画像の知覚に平均する。代替実装形態では、原色をもつ４つ以上のランプが、ディスプレイ装置１００において利用されてよく、赤、緑、および青以外の原色を利用する。
【００３４】
ディスプレイ装置１００が、開状態と閉状態との間のシャッター１０８のデジタル切替えのために設計されるいくつかの実装形態において、コントローラ１３４は、前述のように、時分割グレースケールの方法によって画像を形成する。いくつかの他の実装形態では、ディスプレイ装置１００は、画素ごとに複数のシャッター１０８を使用することによって、グレースケールを提供することができる。
【００３５】
いくつかの実装形態において、画像状態１０４についてのデータは、コントローラ１３４によって、ディスプレイ要素アレイ１５０に、スキャンラインとも呼ばれる個々の行の順次アドレス指定によりロードされる。シーケンス中の行すなわちスキャンラインごとに、スキャンドライバ１３０は、アレイ１５０のその行について、書込み許可相互接続１１０に書込み許可電圧を印加し、続いて、データドライバ１３２が、選択された行中の各列について、所望のシャッター状態に対応するデータ電圧を供給する。このプロセスは、アレイ１５０中のすべての行についてデータがロードされるまで繰り返す。いくつかの実装形態において、データローディングのための選択された行のシーケンスは、線形であり、アレイ１５０中の上から下に進む。いくつかの他の実装形態では、選択された行のシーケンスは、視覚的アーティファクトを最小限にするために擬似ランダム化される。また、いくつかの他の実装形態では、シーケンシングはブロックで編成され、この場合、ブロックに対して、画像状態１０４の特定の一部のみについてのデータが、たとえば、シーケンス中のアレイ１５０の５行おきにのみアドレス指定することによってアレイ１５０にロードされる。
【００３６】
いくつかの実装形態において、アレイ１５０に画像データをロードするためのプロセスは、アレイ１５０のディスプレイ要素を作動させるプロセスとは、時間的に分離される。これらの実装形態において、ディスプレイ要素アレイ１５０は、アレイ１５０中の各ディスプレイ要素に対するデータメモリ要素を含むことができ、制御マトリクスは、メモリ要素に記憶されたデータに従って、シャッター１０８の同時作動を開始するためのトリガ信号を、共通ドライバ１３８から搬送するためのグローバル作動相互接続を含み得る。
【００３７】
代替実装形態では、ディスプレイ要素のアレイ１５０と、ディスプレイ要素を制御する制御マトリクスとが、方形の行および列以外の構成で配列され得る。たとえば、ディスプレイ要素は、六角形アレイまたは曲線をなす行および列で配列され得る。概して、本明細書で使用するスキャンラインという用語は、書込み許可相互接続を共有する、任意の複数のディスプレイ要素を指すものである。
【００３８】
ホストプロセッサ１２２は全般的に、ホストの動作を制御する。たとえば、ホストプロセッサ１２２は、ポータブル電子デバイスを制御するための汎用または専用プロセッサであり得る。ホストデバイス１２０内に含まれるディスプレイ装置１２８に対して、ホストプロセッサ１２２は、画像データならびにホストに関する追加データを出力する。そのような情報は、環境センサからのデータ、たとえば周辺光もしくは温度、たとえば、ホストの動作モードもしくはホストの電源に残っている電力量を含むホストに関する情報、画像データの内容に関する情報、画像データのタイプに関する情報、および／または画像モードを選択する際に使用するディスプレイ装置に関する指示を含み得る。
【００３９】
ユーザ入力モジュール１２６は、ユーザの個人的好みをコントローラ１３４に直接、またはホストプロセッサ１２２を介して伝える。いくつかの実装形態では、ユーザ入力モジュール１２６は、ユーザが「色をより濃く」、「コントラストをより良好に」、「電力をより低く」、「輝度を増して」、「スポーツ」、「ライブアクション」、または「アニメーション」などの個人的好みをプログラムしているソフトウェアによって制御される。いくつかの他の実装形態では、これらの好みは、スイッチまたはダイヤルなどのハードウェアを使用して、ホストに入力される。コントローラ１３４への複数のデータ入力はコントローラに対し、最適な画像化特性に対応する様々なドライバ１３０、１３２、１３８および１４８にデータを提供するように指示する。
【００４０】
環境センサモジュール１２４も、ホストデバイス１２０の一部として含まれ得る。環境センサモジュール１２４は、温度および／または周辺照明状態など、周辺環境に関するデータを受信する。センサモジュール１２４は、デバイスが屋内またはオフィス環境で動作しているのか、明るい昼光の中の屋外環境で動作しているのか、夜間の屋外環境で動作しているのかを区別するようにプログラムされ得る。センサモジュール１２４は、コントローラ１３４が周辺環境に応答して表示条件を最適化できるように、この情報をディスプレイコントローラ１３４に通信する。
【００４１】
図２Ａおよび図２Ｂは例示的なシャッター式光変調器４００の図である。光変調器（「二重アクチュエータシャッターアセンブリ」とも呼ばれる）４００は、シャッターを作動させるための二重アクチュエータを含むことができる。二重アクチュエータシャッターアセンブリ４００は、光変調器１０２として、図１Ａの直視型ＭＥＭＳ方式ディスプレイ装置１００に組み込むのに適することができる。図２Ａに示されるような、二重アクチュエータシャッターアセンブリ４００は、開状態にある。図２Ｂは、閉状態にある二重アクチュエータシャッターアセンブリ４００を示す。シャッターアセンブリ２００とは対照的に、シャッターアセンブリ４００は、シャッター４０６の両側にアクチュエータ４０２および４０４を含む。各アクチュエータ４０２および４０４は、独立に制御される。第１のアクチュエータ、シャッター開アクチュエータ４０２は、シャッター４０６を開くのを担当する。第２の対向アクチュエータ、シャッター閉アクチュエータ４０４は、シャッター４０６を閉じるのを担当する。アクチュエータ４０２および４０４は両方とも、コンプライアントビーム電極アクチュエータである。アクチュエータ４０２および４０４は、シャッターがその上方で懸架されている開口層４０７に対して実質的に、平行な平面にあるシャッター４０６を駆動することによって、シャッター４０６を開閉する。シャッター４０６は、アクチュエータ４０２および４０４に取り付けられたアンカ４０８によって、開口層４０７の少し上方で懸架される。シャッター４０６の移動軸に沿って、シャッター４０６の両端に取り付けられたサポートを含むことにより、シャッター４０６の面外運動が低減され、運動を基板に対して実質的に平行な平面に閉じ込める。
【００４２】
シャッター４０６は、光が通り得る２つのシャッター開口４１２を含む。開口層４０７は、３つの開口４０９からなるセットを含む。図２Ａにおいて、シャッターアセンブリ４００は開状態にあり、したがって、シャッター開アクチュエータ４０２は作動しており、シャッター閉アクチュエータ４０４はその弛緩位置にあり、かつシャッター開口４１２の中心線が開口層の開口４０９のうちの２つの中心線と一致する。図２Ｂにおいてシャッターアセンブリ４００は閉状態に移されており、したがって、シャッター開アクチュエータ４０２はその弛緩位置にあり、シャッター閉アクチュエータ４０４は作動しており、かつシャッター４０６の遮光部分はこのとき、開口４０９（点線として示す）を通る光の透過を遮断するための所定の位置にある。
【００４３】
各開口は、その周囲に、少なくとも１つの辺をもつ。たとえば、方形開口４０９は、４つの辺をもつ。円形、楕円、卵型、または他の湾曲開口が開口層４０７に形成される代替実装形態では、各開口は、単一辺のみを有し得る。いくつかの他の実装形態では、開口は、数学的な意味において分離され、または独立する必要はなく、連結されてよい。すなわち、開口の一部または成形断面が、各シャッターとの対応を維持し得る間、これらのセクションのいくつかは、開口の単一の連続外周が複数のシャッターによって共有されるように連結され得る。
【００４４】
様々な出口角をもつ光を、開状態にある開口４１２および４０９に通すために、開口層４０７中の開口４０９の対応する幅またはサイズよりも大きい幅またはサイズをシャッター開口４１２に与えることが有利である。閉状態において光が漏れるのを効果的に阻止するために、シャッター４０６の遮光部分が開口４０９と重なるのが好ましい。図２Ｂは、シャッター４０６内の遮光部分の縁部と開口層４０７内に形成された開口４０９の１つの縁部との間にある、実施態様によってはあらかじめ画定することができる、重複４１６を示す。
【００４５】
静電アクチュエータ４０２および４０４は、その電圧変位挙動により、シャッターアセンブリ４００に双安定特性が与えられるように設計される。シャッター開アクチュエータおよびシャッター閉アクチュエータの各々について、作動電圧を下回る電圧範囲が存在し、この電圧範囲は、そのアクチュエータが閉状態である（シャッターは開または閉のいずれかである）間に印加されると、対向アクチュエータに作動電圧が印加された後でも、アクチュエータを閉のままに、かつシャッターを所定の位置に保持する。そのような対向力に対してシャッターの位置を維持するのに必要とされる最小電圧は、維持電圧Ｖｍと呼ばれる。
【００４６】
図３〜図５Ｂは、例示的なディスプレイ装置の種々の図を示す。詳細には、図３は、対称な開口を組み込んだディスプレイ装置５００の断面図を示し、図４Ａおよび図５Ａは、非対称の開口を組み込んだ例示的なディスプレイ装置（それぞれ５００および６００）の断面図を示し、図４Ｂおよび図５Ｂはそれぞれ、図４Ａおよび図５Ａに示される例示的なディスプレイ装置の平面図を示す。
【００４７】
図３のディスプレイ装置５００はシャッター式光変調器（シャッターアセンブリ）５０２を組み込んでいる。図３は１つのシャッターアセンブリ５０２のみを示すが、ディスプレイ装置５００は、複数の行および複数の列に配置されたシャッターアセンブリ５０２のアレイを含むことができる。いくつかの実施態様では、図２Ａおよび図２Ｂに関連して先に論じられた二重アクチュエータシャッターアセンブリ４００を、シャッターアセンブリ５０２として使用することができる。各シャッターアセンブリ５０２は、シャッター５０３と、アンカ５０５とを組み込んでいる。コンプライアントビームアクチュエータは図示されないが、アンカ５０５とシャッター５０３との間に接続されるとき、開口層の上方の短い距離にシャッター５０３を浮かせておくのを助ける。シャッターアセンブリ５０２は、プラスチックまたはガラスから形成される基板のような、透明基板５０４上に配置される。シャッターアセンブリ５０２が基板５０４上に配置されるディスプレイ装置構成は、ＭＥＭＳアップ構成と呼ばれる。開口層５０６が基板５０４上に配置され、複数の均等なサイズの開口：第１の開口層開口（「第１のＡＬ開口」）５０６ａと第２の開口層開口（「第２のＡＬ開口」）５０６ｂとを画定する。いくつかの他の実施態様では、これらの開口は、図２Ａおよび図２Ｂに示される開口４０９に類似の、長方形のような細長い形状を有することができる。図３の開口層５０６は２つのみの開口を有するが、実施態様によっては、３つ以上の開口を有する場合があることは理解されたい。
【００４８】
開口層５０６は、第１のＡＬ開口５０６ａおよび第２のＡＬ開口５０６ｂを通り抜けない光をディスプレイ装置５００の後方に向かって反射して戻す、後方に面する光反射膜から形成することができるか、またはそのような後方に面する光反射層を含むことができる。いくつかの実施態様では、開口層５０６の前方に面する表面は、ディスプレイ装置５００によって表示される画像のコントラストを改善するための光吸収材料を含むことができる。シャッター５０３を開口層５０６から分離する垂直ギャップが、約０．５ミクロン〜１０ミクロンの範囲を有することができる。いくつかの他の実施態様では、垂直ギャップのサイズは、図２Ｂに示される重複４１６のような、閉状態にあるシャッター５０３の縁部と開口５０６ａおよび５０６ｂの縁部との間の横方向の重複より小さい。
【００４９】
ディスプレイ装置５００は、ディスプレイ装置５００全体を通して実質的に均等な照明を与えるバックライト５０８を含むこともできる。バックライト５０８からの光は、画像データに基づいてシャッターアセンブリ５０２によって変調することができる。バックライト５０８は、１つまたは複数の色（赤色、緑色、青色、白色など）の光を与えるための１つまたは複数の光源と、光源によって与えられる光を均一に分散させるための光ガイドとを含むことができる。
【００５０】
透明カバープレート５１０が、ディスプレイ装置５００の前面を形成する。カバープレート５１０の背面は、２つの等しいサイズの開口：第１の遮光層開口（「第１のＬＢＬ開口」）５１２ａと、第２の遮光層開口（「第２のＬＢＬ開口」）５１２ｂとを有する遮光層５１２で覆うことができる。いくつかの他の実施態様では、これらの開口は、長方形のような細長い形状を有することができる。遮光層５１２は、第１のＬＢＬ開口５１２ａおよび第２のＬＢＬ開口５１２ｂのような開口を除いて、ディスプレイ装置５００の後方から受光された光が、ディスプレイデバイス５００の前方に通り抜けるのを阻止する。遮光層は、光吸収材料から形成することもできる。
【００５１】
第１のＬＢＬ開口５１２ａおよび第２のＬＢＬ開口５１２ｂはそれぞれ、第１のＡＬ開口５０６ａおよび第２のＡＬ開口５０６ｂと概ね位置合わせされる。シャッター５０３は、光を阻止するか、または通過させるために、２組の開口間を横方向に移動する。たとえば、図３のシャッター５０３は、開口層５０６内の開口を通り抜ける光が、遮光層５１２内の開口を通して実質的に遮られることなく通り抜けることができるように位置決めされる。
【００５２】
光が種々の角度において第１のＡＬ開口５０６ａおよび第１のＬＢＬ開口５１２ａを通り抜けることができる。光が開口から発する種々の角度は、図３に示される種々の矢印５２０によって示される。開口から種々の角度において発する光は、角度光分布を生成し、その分布は、開口から種々の角度において種々の強度で発する光を表す。図３は、開口５０６ａおよび５１２ａの最も短い寸法を通る断面においてのみの角度光分布を示すことに留意されたい。開口５０６ａおよび５１２ａの他の部分にわたる平面、または開口５０６ａおよび５１２ａに対する他の向きにおける平面は、異なる角度光分布を生成する場合があることは理解されたい。
【００５３】
いくつかの実施態様では、できる限り広い角度光分布を有することが望ましい。これは、角度光分布が広い結果として、ディスプレイ装置５００のための視野角を大きくすることができるためである。角度分布の幅は、関連する平面内で開口５１２ａを通り抜ける光線間に形成することができる最大角によって規定される光分布境界角に関して示すことができる。たとえば、図３は、第１の１組の光線５１４によって表される開口５０６ａおよび５１２ａに関連付けられる角度光分布の境界を示す。第１の１組の光線５１４間に形成される角度は、開口５０６ａおよび５１２ａのための光分布境界角を表すことができる。
【００５４】
カバープレート５１０は、セルギャップ（Ｈｃｇによって示される）として知られる距離だけ基板５０４から分離される。開口５０６ａおよび５１２ａを通り抜ける光の光分布境界角は、１つにはセルギャップの関数である。光分布境界角は、開口層５０６、シャッター５０３および遮光層５１２内の開口のサイズの関数とすることもできる。いくつかの実施態様では、シャッター５０３内の開口のサイズは、開口５０６ａおよび５１２ａから発する光の角度光分布に影響を与えないように、開口５０６ａおよび５１２ａのサイズより大きい。そのような実施態様では、光分布境界角は、シャッター５０３内の開口サイズの関数でない場合がある。いくつかの実施態様では、光分布境界角「α」は式：α＝２ｔａｎ−１（平均開口サイズ／セルギャップ）によって表すことができ、ただし、平均開口サイズは、角度光分布が決定された平面内の開口５０６ａおよび５１２ａのサイズの平均である。先に論じられたように、いくつかの実施態様では、図３に示される角度分布は、開口５０６ａおよび５１２ａの最も短い寸法に沿うことができる。そのような実施態様では、平均開口サイズは、開口５０６ａおよび５１２ａの最も短い寸法の平均とすることができる。一例として、第１の１組の光線５１４によって形成される光分布境界角は７０度とすることができる。
【００５５】
一般的に、所与のセルギャップの場合に、同じサイズおよび形状の開口は、類似の角度光分布特性を有することになる。たとえば、図３を参照すると、第２のＡＬ開口５０６ｂおよび第２のＬＢＬ開口５１２ｂのサイズおよび形状が第１のＡＬ開口５０６ａおよび第１のＬＢＬ開口５１２ａのサイズおよび形状と実質的に同様である場合には、開口５０６ｂおよび５１２ｂに関連付けられる角度光分布は、開口５０６ａおよび５１２ａの角度光分布と同様とすることができる。したがって、第２の１組の光線５１６によって表される、開口５０６ｂおよび５１２ｂの場合の光分布境界角は、先に論じられた開口５０６ａおよび５１２ａの場合の光分布境界角αと同様とすることができる。また、一例として、第２の１組の光線５１６によって形成される光分布境界角は、７０度として示される。
【００５６】
いくつかの実施態様では、７０度の光分布境界角は望ましくないほど狭い場合がある。狭い光分布境界角は、開口層５０６および遮光層５１２内の開口の幅を縮小した結果である場合があり、その結果として、ディスプレイ装置５００のためのより高いピクセル／インチ（ＰＰＩ）仕様に対応するように縮小されている場合がある。光分布境界角を改善する１つの手法は、ディスプレイ要素ごとに単一の、より広幅のＡＬ−ＬＢＬ開口対のみを含むようにディスプレイ装置を構成することとすることができる。幅を広くすることによって、ディスプレイ要素を通り抜ける光の角度分布を改善することができ、その結果として、ディスプレイ装置の視野角を改善することができる。しかしながら、開口幅を広くすると、開状態と閉状態との間で切り替わるためにシャッターが開口に対して移動しなければならない距離も増加する場合がある。シャッターが移動する距離が増えると、シャッターの動作速度が低下する場合があり、ディスプレイ要素ごとにさらなる空間割り当てを必要とする場合がある。これらの結果はいずれも望ましくないが、より高いＰＰＩのディスプレイを達成することに関して、特に後者の方が問題である。
【００５７】
対照的に、いくつかの実施態様では、図４Ａ〜図５Ｂに関して後に論じられるように、ディスプレイ装置が、各ディスプレイ要素内に等しくない、または非対称の幅の複数の開口を含むことによって、改善された角度光分布を与えることができる。開口のうちの少なくとも１つ開口の幅は、シャッターの関連付けられる移動距離を許容可能な限度内に制限するほど依然として十分に小さくしながら、所望の光分布境界角を与えるほど十分に広いように構成される。
【００５８】
図４Ａは、非対称の開口を有する例示的なディスプレイ装置６００の断面図を示す。詳細には、ディスプレイ装置６００は、第２の非対称ＡＬ開口６０６ｂの約２倍の幅である第１の非対称ＡＬ開口６０６ａを有する開口層６０６を含む。さらに、ディスプレイ装置６００は、第２の非対称ＬＢＬ開口６１２ｂの約２倍の幅である第１の非対称ＬＢＬ開口６１２ａを有する遮光層６１２を含む。以下に論じられるように、ディスプレイ装置６００の非対称の開口は、ディスプレイ装置６００によって放射される光のための改善された光分布境界角を、それゆえ、より広い角度光分布を与える。
【００５９】
ディスプレイ装置６００は、プラスチックまたはガラスから形成される基板のような透明基板６０４を含む。また、ディスプレイ装置６００は、実質的に均一な照明を与えるためのバックライト６０８も含む。透明カバープレート６１０が、ディスプレイ装置６００の前方に向かって配置される。基板６０４、バックライト６０８およびカバープレート６１０はそれぞれ、図３に関して先に論じられた、基板５０４、バックライト５０８およびカバープレート５１０と同様とすることができる。
【００６０】
開口層６０６は、基板６０４の前方に面する側に沿って配置される。図３に示される開口プレート５０６と同様に、図４Ａの開口プレート６０６は後方に面する光反射膜も含むことができる。しかしながら、均等なサイズの第１のＡＬ開口５０６ａおよび第２のＡＬ開口５０６ｂ（図３に示される）とは異なり、第１の非対称ＡＬ開口６０６ａおよび第２の非対称ＡＬ開口６０６ｂは異なるサイズからなる。詳細には、長方形の形状をなす開口の場合、第１の非対称ＡＬ開口６０６ａの短辺のサイズは、第２の非対称ＡＬ開口６０６ｂの短辺のサイズの２倍とすることができる。しかし、第１の非対称ＡＬ開口６０６ａおよび第２の非対称ＡＬ開口６０６ｂの長辺のサイズは実質的に同様とすることができる。これらの寸法関係は例示にすぎないことは理解されたい。いくつかの実施態様では、第１の非対称ＡＬ開口６０６ａの短辺は、第２の非対称ＡＬ開口６０６ｂの短辺より２５％大きくすることができる。いくつかの他の実施態様では、第１の非対称ＡＬ開口６０６ａの短辺は、第２の非対称ＡＬ開口６０６ｂの短辺より約２５％から約１００％だけ大きくすることができる。一般的に、第１の非対称ＡＬ開口６０６ａおよび第２の非対称ＡＬ開口６０６ｂの種々の相対的寸法は、必要とされる角度光分布特性に基づいて選択することができる。
【００６１】
また、ディスプレイ装置６００は、カバープレート６１０の後方に面した面上に遮光層６１２も含む。図３に示される遮光層５１２と同様に、図４Ａに示される遮光層６１２も、光吸収材料から形成することができる。しかしながら、均等なサイズの第１のＬＢＬ開口５１２ａおよび第２のＬＢＬ開口５１２ｂとは異なり、第１の非対称ＬＢＬ開口６１２ａおよび第２の非対称ＬＢＬ開口６１２ｂは異なるサイズからなる。詳細には、開口層６０６内の長方形の形状の開口と同様に構成される開口の場合、第１の非対称ＬＢＬ開口６１２ａの短辺のサイズは、第２の非対称ＬＢＬ開口６１２ｂの短辺のサイズの２倍とすることができる。しかし、第１の非対称ＬＢＬ開口６１２ａおよび第２の非対称ＬＢＬ開口６１２ｂの長辺のサイズは実質的に同様とすることができる。これらの寸法は例示にすぎないことは理解されたい。一般的に、第１の非対称ＬＢＬ開口６１２ａおよび第２の非対称ＬＢＬ開口６１２ｂの種々の相対的寸法は、必要とされる角度光分布特性に基づいて、開口層６０６の開口に対応するように選択することができる。
【００６２】
また、ディスプレイ装置６００は、アンカ６０５によって支持されるシャッター６０３を有する二重アクチュエータシャッターアセンブリ６０２も含む。いくつかの実施態様では、シャッターアセンブリ６０２は図２Ａおよび図２Ｂに示されるシャッターアセンブリに類似のアーキテクチャを有する。アンカ６０５は、図３に関して先に論じられたアンカ５０５と同様とすることができる。さらに、シャッター６０３の遮光部分が開口層６０６内の開口６０６ａおよび６０６ｂのサイズに基づいてサイズを決定できることを除いて、シャッター６０３も図３に示されるシャッター５０３と同様とすることができる。シャッター６０３は開状態において示されており、第１の非対称ＡＬ開口６０６ａおよび第２の非対称ＡＬ開口６０６ｂを通り抜ける光がディスプレイ装置６００の前方に向かって通り抜けることができるようになる。閉状態では、シャッター６０３は、ディスプレイ装置６００の前方に向かって光が通り抜けるのを実質的に阻止するように位置決めされる。
【００６３】
いくつかの実施態様では、第１の非対称ＡＬ開口６０６ａおよび第１の非対称ＬＢＬ開口６１２ａはそれぞれ、（図３に示されるような）第１のＡＬ開口５０６ａおよび第１のＬＢＬ開口５１２ａより広くする（すなわち、長方形の形状の短辺に沿って長くする）ことができる。さらに、第２の非対称ＡＬ開口６０６ｂおよび第２の非対称ＬＢＬ開口６１２ｂはそれぞれ、第２のＡＬ開口５０６ｂおよび第２のＬＢＬ開口５１２ｂより狭く（すなわち、長方形の形状の短辺に沿って短く）することができる。
【００６４】
図４Ｂは、図４Ａに示されるディスプレイ装置６００のシャッター６０３と、開口層６０６内の開口６０６ａおよび６０６ｂとの平面図を示す。詳細には、図４Ｂは、非対称開口：第１の非対称ＡＬ開口６０６ａおよび第２の非対称ＡＬ開口６０６ｂにわたって開状態および閉状態にあるシャッター６０３の位置を示す。第１の非対称ＡＬ開口６０６ａは第２の非対称ＡＬ開口６０６ｂの幅Ｗｂより大きい幅Ｗａを有する。いくつかの実施態様では、図４Ｂに示されるように、第１の非対称ＡＬ開口６０６ａと第２の非対称ＡＬ開口６０６ｂの両方の長さＬは同じとすることができる。シャッター６０３内のスロットのサイズは、開口層６０６内の対応する開口よりわずかに大きくなるように構成される。
【００６５】
いくつかの実施態様では、図４Ａの開口層６０６内の開口６０６ａおよび６０６ｂにわたる全幅および面積は、図３の開口層５０６内の開口５０６ａおよび５０６ｂにわたる全幅および面積と実質的に等しくすることができる。したがって、開口層６０６および遮光層６１２内の開口６０６ａおよび６０６ｂがそれぞれ開口層５０５および遮光層５１２内の開口とサイズが異なる場合であっても、図４Ａのディスプレイ装置６００によって出力される光の量は、図３のディスプレイ装置５００によって出力される光と実質的に同じにすることができる。
【００６６】
第１の非対称ＡＬ開口６０６ａおよび第１の非対称ＬＢＬ開口６１２ａを広くする結果として、角度光分布も広くすることができる。たとえば、図４Ａに示されるように、第１の１組の光線６１４は約８０度の光分布境界角を有し、その角度は第１のＡＬ開口５０６ａおよび第１のＬＢＬ開口５１２ａ（図３に示される）を通り抜ける第１の１組の光線５１４の光分布境界角より１０度大きい。
【００６７】
第２の非対称ＡＬ開口６０６ｂおよび第２の非対称ＬＢＬ開口６１２ｂを狭くする結果として、第２の非対称ＬＢＬ開口６１２ｂを通る角度光分布を小さくすることができる。たとえば、図４Ａに示されるように、第２の１組の光線６１６は、約４５度の光分布境界角を有し、その角度は、第２のＡＬ開口５０６ｂおよび第２のＬＢＬ開口５１２ｂ（図３に示される）を通り抜ける第２の１組の光線５１６の光分布境界角より２５％小さい。
【００６８】
第２の１組の光線６１６の光分布境界角が第１の１組の光線６１４の光分布境界角より小さいという事実にもかかわらず、ディスプレイ装置６００の光出力のより大きなパーセンテージが、より広い角度光分布に通される。したがって、ディスプレイ装置６００の全体として知覚される角度光分布は改善される。さらに、角度分布が広いので、ディスプレイ装置６００によれば、光が、図３のディスプレイ装置５００が許すことができる角度を超える角度（７０度より大きな角度）において通り抜けることができるようになる。
【００６９】
図４Ａのディスプレイ装置６００の第１の１組の開口６０６ａおよび６１２ａの最も広い幅Ｗａは、結果としてシャッター６０３が移動する距離、および結果としてのシャッター６０３の動作速度が所望の限度内に入るように構成される。このようにして、ディスプレイ装置６００は、指定されたシャッター６０３の動作速度に関して改善された角度光分布を与える。
【００７０】
さらに、図４Ａのディスプレイ装置６００の非対称構成は、ディスプレイ装置５００の等しいサイズの開口によって与えられる特性と比べて、シャッター６０３が閉状態にあるときに改善された光漏れ特性を与える。
【００７１】
いくつかの実施態様では、ピクセルあたりさらなる空間を利用できるようになるように、より小さなＡＬ開口６０６ｂおよびＬＢＬ開口６１２ｂの幅は、より広いＡＬ開口６０６ａおよびＬＢＬ開口６１２ａの幅まで広げることができる。さらなる空間が利用できるようになる場合には、ＡＬ開口とＬＢＬ開口の両方の幅を、より広い角度光分布を与えるように同等に広げることができる。しかしながら、上記のように、開口が大きくなると、シャッター６０３が開状態と閉状態との間で移動するために進まなければならない場合がある距離も長くなる場合がある。シャッター６０３が移動する距離が長くなると、その結果として、シャッター６０３を動作させるための作動電圧が高くなる場合があり、シャッター６０３の動作速度が減速する場合もある。
【００７２】
代わりに、図５Ａを参照しながら以下にさらに論じられるように、さらに利用可能な全空間を占有するように開口の幅を連続して等しく広げる代わりに、開口の幅を、結果として許容可能なシャッター移動距離を生成する幅範囲内に制限することが有利な場合がある。言い換えると、開口の幅は、そのサイズを超えるとシャッターの対応する移動が許容できなくなるサイズまでのみ等しく広げることができる。依然として利用可能である任意のさらなる空間は、その後、さらなる、より狭い開口を追加することによって利用することができる。
【００７３】
図５Ａは、非対称の開口を組み込んだ別の例示的なディスプレイ装置７００の断面図を示す。詳細には、シャッターアセンブリ７００は、第１の非対称ＡＬ開口７０６ａと、第２の非対称ＡＬ開口７０６ｂと、第３の非対称ＡＬ開口７０６ｃとを有する開口層７０６を含み、第３の非対称ＡＬ開口層７０６ｃは、他の２つの非対称ＡＬ開口より狭い。さらに、ディスプレイ装置７００は、第１の非対称ＬＢＬ開口７１２ａと、第２の非対称ＬＢＬ開口７１２ｂと、第３の非対称ＬＢＬ開口７１２ｃとを有する遮光層７１２も含み、第３の非対称ＬＢＬ開口７１２ｃは、他の２つの非対称ＬＢＬ開口より狭い。
【００７４】
ディスプレイ装置７００は、プラスチックまたはガラスから形成される基板のような透明基板７０４を含む。また、ディスプレイ装置７００は、均一な照明を与えるためのバックライト７０８も含む。透明カバープレート７１０が、ディスプレイ装置７００の前方に向かって配置される。基板７０４、バックライト７０８およびカバープレート７１０はそれぞれ、図３および図４Ａに関して先に論じられた基板５０４および６０４、バックライト５０８および６０８、ならびにカバープレート５１０および６１０と同様とすることができる。さらに、開口層７０６および遮光層７１２はそれぞれ、図３および図４Ａに関して先に論じられた開口層５０６および６０６、ならびに遮光層５１２および６１２と類似の光吸収材料から形成することができる。
【００７５】
ディスプレイ装置７００は、シャッター７０３およびアンカ７０５を有するシャッターアセンブリ７０２も含む。基板５０４上に構築される図３に示されるＭＥＭＳアップ構成シャッターアセンブリ５０２とは異なり、図５Ａに示されるシャッターアセンブリ７０２は、カバープレート７１０上に（すなわち、ＭＥＭＳダウン構成と呼ばれる構成において）構築される。シャッター７０３は開状態において示されており、第１の非対称ＡＬ開口７０６ａ、第２の非対称ＡＬ開口７０６ｂおよび第３の非対称ＡＬ開口７０６ｃを通り抜ける光がそれぞれ、第１の非対称ＬＢＬ開口７１２ａ、第２の非対称ＬＢＬ開口７１２ｂおよび第３の非対称ＬＢＬ開口７１２ｃに向かって通り抜けることができるようになる。閉状態では、シャッター７０３は、開口層７０６内の開口を通り抜ける実質的にすべての光が遮光層内の開口に達するのを阻止するように移動する。
【００７６】
図５Ａは、第１の非対称ＡＬ開口７０６ａおよび第１の非対称ＬＢＬ開口７１２ａを通り抜ける第１の１組の光線７１４と、第２の非対称ＡＬ開口７０６ｂおよび第２の非対称ＬＢＬ開口７１２ｂを通り抜ける第２の１組の光線７１６と、第３の非対称ＡＬ開口７０６ｃおよび第３の非対称ＬＢＬ開口７１２ｃを通り抜ける第３の１組の光線７１８とを示す。第１の非対称ＡＬ開口７０６ａおよび第１の非対称ＬＢＬ開口７１２ａの幅は、第２の非対称ＡＬ開口７０６ｂおよび第２の非対称ＬＢＬ開口７１２ｂの幅と実質的に等しい。したがって、第１の１組の光線７１４の光分布境界角および対応する角度光分布は、第２の１組の光線７１６の光分布境界角および対応する角度光分布に実質的に等しくなる。図５Ａに示される例では、第１の１組の光線および第２の１組の光線の光分布境界角は８０度に等しい。
【００７７】
図５Ｂは、図５Ａに示されるディスプレイ装置７００のシャッター７０３、および開口層７０６内の開口の平面図を示す。詳細には、図５Ｂは、非対称開口：第１の非対称ＡＬ開口７０６ａ、第２の非対称ＡＬ開口７０６ｂおよび第３の非対称ＡＬ開口７０６ｃにわたって開状態および閉状態にあるシャッター７０３の位置を示す。第１の非対称ＡＬ開口７０６ａおよび第２の非対称ＡＬ開口７０６ｂはそれぞれ、等しい幅ＷａおよびＷｂを有する。しかしながら、幅ＷａおよびＷｂは、第３の非対称ＡＬ開口７０６ｃの幅Ｗｃより広い。いくつかの実施態様では、図５Ｂに示されるように、開口層７０６内のすべての開口の長さＬを同じにすることができる。シャッター７０３内のスロットのサイズは、開口層７０６内の対応する開口よりわずかに大きくなるように構成される。
【００７８】
上記のように、第３の非対称ＡＬ開口７０６ｃおよび第３の非対称ＬＢＬ開口７１２ｃはそれぞれ、開口層７０６および遮光層７１２内の他の開口より狭い。結果として、第３の非対称ＡＬ開口７０６ｃおよび第３の非対称ＬＢＬ開口７１２ｃを通り抜ける第３の１組の光線７１８は、小さな光分布境界角を有することができる。一例として、第３の１組の光線７１８は４５度の光分布境界角を有する。しかしながら、ディスプレイ装置７００の光出力のより大きなパーセンテージが、第１の１組の光線７１４および第２の１組の光線７１６に含まれるので、ディスプレイ装置７００の全体として知覚される角度光分布は改善される。さらに、幅ＷａおよびＷｂは、結果としてシャッター７０３が移動する距離、および結果としてのシャッター７０３の動作速度が所望の限度内に入るように構成される。先に論じられたように、いくつかの実施形態では、ピクセルあたりさらなる空間を利用できるようになるとき、第１のＡＬ開口５０６ａおよび第１のＬＢＬ開口５１２ａ（図３に示される）のような開口の幅は、より広い角度光分布を与えるように均等に広げることができる。しかしながら、図５Ａおよび図５Ｂに示されるように、第３の非対称の１組の開口７０６ｃおよび７１２ｃを含み、他の２組の開口（７０６ａ−７１２ａおよび７０６ｂ−７１２ｂ）を非対称に構成することによって、２つのより広い等しいサイズの開口を有するシャッターの特性と比べて、遮光特性を改善しながら、シャッターの動作速度を許容可能な限度内に保持することができる。
【００７９】
いくつかの実施態様では、最も狭い開口、たとえば、第３の非対称ＡＬ開口７０６ｃおよび第３の非対称ＬＢＬ開口７１２ｃは、他の２組のより広い開口間に配置することができる。
【００８０】
図６は、非対称の開口を有するディスプレイ装置を形成するための例示的なプロセス８００のためのフロー図を示す。詳細には、プロセス８００は、基板上に遮光層を形成することを含み、遮光層を形成することは、第１の開口が、第２の開口の対応する寸法より少なくとも約２５％大きい少なくとも１つの寸法を有するような、第１の開口および第２の開口を形成することを含む（ステージ８０２）。プロセス８００は、第１の開口および第２の開口を光が通り抜けるのを選択的に阻止するために遮光状態と透光状態との間で移動するように構成される可動光遮断構成要素を形成することも含む（ステージ８０４）。
【００８１】
プロセス８００は、基板上に遮光層を形成することから開始し、遮光層を形成することは、第１の開口が第２の開口の対応する寸法より少なくとも約２５％大きい少なくとも１つの寸法を有するような、第１の開口および第２の開口を形成することを含む（ステージ８０２）。このプロセスステージの結果の一例が図４Ａに関して先に論じられた。詳細には、図４Ａは、第２の非対称ＡＬ開口６０６ｂの幅より約２５％大きい幅を有する第１の非対称ＡＬ開口６０６ａを有する開口層６０６を示す。
【００８２】
プロセス８００は、第１の開口および第２の開口から発する光が通り抜けるのを選択的に阻止するために、遮光状態と透光状態との間で移動するように構成される可動光遮断構成要素を形成することも含む（ステージ８０４）。このプロセスステージ８０４の結果の一例が図４Ａに関して先に論じられた。詳細には、図４Ａは、開状態と閉状態との間で選択的に移動することができるシャッター６０３を示す。開状態では、シャッター６０３によって、第１の非対称ＡＬ開口６０６ａおよび第２の非対称ＡＬ開口６０６ｂから発する光を透過できるようになる。また、図４Ａに関して説明されるように、シャッター６０３は、第１の非対称ＡＬ開口６０６ａおよび第２の非対称ＡＬ開口６０６ｂから発する光を阻止するような閉状態に選択的に移動することができる。当業者は、ＭＥＭＳアップ構成を有するディスプレイ装置、またはＭＥＭＳダウン構成を有するディスプレイ装置において非対称開口を採用できることは当業者には理解されよう。
【００８３】
図７Ａおよび図７Ｂは、複数のディスプレイ要素を含む例示的なディスプレイデバイス４０のシステムブロックである。ディスプレイデバイス４０は、たとえば、スマートフォン、セルラー電話または携帯電話であり得る。ただし、ディスプレイデバイス４０の同じ構成要素またはその若干異なる形態はまた、テレビ、コンピュータ、タブレット、電子リーダー、ハンドヘルドデバイス、およびポータブルメディアデバイスなど、様々なタイプのディスプレイデバイスを示す。
【００８４】
ディスプレイデバイス４０は、ハウジング４１、ディスプレイ３０、アンテナ４３、スピーカ４５、入力デバイス４８およびマイクロフォン４６を含む。ハウジング４１は、射出成形および真空成形など、様々な製造プロセスのうちのいずれかから形成され得る。さらに、ハウジング４１は、限定はしないが、プラスチック、金属、ガラス、ゴム、およびセラミック、またはそれらの組合せを含む、様々な材料のうちのいずれかから形成され得る。ハウジング４１は、異なる色の、または異なるロゴ、ピクチャもしくはシンボルを含む他の取外し可能な部分と交換され得る取外し可能な部分（図示せず）を含み得る。
【００８５】
ディスプレイ３０は、本明細書で説明したように、双安定ディスプレイまたはアナログディスプレイを含む様々なデバイスのうちのいずれかであり得る。ディスプレイ３０はまた、プラズマ、エレクトロルミネセント（ＥＬ）ディスプレイ、ＯＬＥＤ、超ねじれネマチック（ＳＴＮ）ディスプレイ、ＬＣＤもしくは薄膜トランジスタ（ＴＦＴ）ＬＣＤなどのフラットパネルディスプレイ、またはブラウン管（ＣＲＴ）もしくは他のチューブデバイスなどの非フラットパネルディスプレイを含むように構成され得る。加えて、ディスプレイ３０は、本明細書で説明するように、機械的光変調器方式ディスプレイを含み得る。
【００８６】
ディスプレイデバイス４０の構成要素は、図７Ｂに概略的に示されている。ディスプレイデバイス４０は、ハウジング４１を含んでおり、その中に少なくとも部分的に包囲された追加の構成要素を含むことができる。たとえば、ディスプレイデバイス４０はネットワークインターフェース２７を含んでおり、ネットワークインターフェース２７はアンテナ４３を含んでおり、アンテナ４３はトランシーバ４７に結合され得る。ネットワークインターフェース２７は、ディスプレイデバイス４０に表示されることのある画像データのソースであり得る。したがって、ネットワークインターフェース２７は、画像ソースモジュールの一例であるが、プロセッサ２１および入力デバイス４８も、画像ソースモジュールの働きをすることができる。トランシーバ４７はプロセッサ２１に接続され、プロセッサ２１は調整ハードウェア５２に接続される。調整ハードウェア５２は、（信号をフィルタリングするか、または別の方法で操作するなど）信号を調整するように構成され得る。調整ハードウェア５２は、スピーカ４５およびマイクロフォン４６に接続され得る。プロセッサ２１は、入力デバイス４８およびドライバコントローラ２９にも接続され得る。ドライバコントローラ２９は、フレームバッファ２８およびアレイドライバ２２に結合されてよく、アレイドライバ２２は、次いでディスプレイアレイ３０に結合され得る。図７Ａに明示されていない要素を含む、ディスプレイデバイス４０における１つまたは複数の要素は、メモリデバイスとして機能するように構成され、プロセッサ２１と通信するように構成され得る。いくつかの実装形態では、電源５０は、特定のディスプレイデバイス４０の設計における実質的にすべての構成要素に電力を提供することができる。
【００８７】
ネットワークインターフェース２７は、ディスプレイデバイス４０がネットワークを介して１つまたは複数のデバイスと通信できるように、アンテナ４３およびトランシーバ４７を含む。ネットワークインターフェース２７はまた、たとえば、プロセッサ２１のデータ処理要件を緩和するためのいくつかの処理能力を有し得る。アンテナ４３は、信号を送信および受信することができる。いくつかの実装形態では、アンテナ４３は、ＩＥＥＥ  １６．１１規格、たとえばＩＥＥＥ  １６．１１（ａ）、（ｂ）、もしくは（ｇ）、またはＩＥＥＥ  ８０２．１１規格、たとえばＩＥＥＥ  ８０２．１１ａ、ｂ、ｇ、ｎ、およびそのさらなる実装形態に従って、ＲＦ信号を送信および受信する。いくつかの他の実装形態では、アンテナ４３は、Ｂｌｕｅｔｏｏｔｈ（登録商標）規格に従ってＲＦ信号を送信および受信する。セルラー電話の場合、アンテナ４３は、符号分割多元接続（ＣＤＭＡ）、周波数分割多元接続（ＦＤＭＡ）、時分割多元接続（ＴＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、ＧＳＭ（登録商標）／汎用パケット無線サービス（ＧＰＲＳ：Ｇｅｎｅｒａｌ  Ｐａｃｋｅｔ  Ｒａｄｉｏ  Ｓｅｒｖｉｃｅ）、拡張データＧＳＭ（登録商標）環境（ＥＤＧＥ：Ｅｎｈａｎｃｅｄ  Ｄａｔａ  ＧＳＭ（登録商標）  Ｅｎｖｉｒｏｎｍｅｎｔ）、地上基盤無線（ＴＥＴＲＡ：Ｔｅｒｒｅｓｔｒｉａｌ  Ｔｒｕｎｋｅｄ  Ｒａｄｉｏ）、広帯域ＣＤＭＡ（Ｗ−ＣＤＭＡ（登録商標））、Ｅｖｏｌｕｔｉｏｎ  Ｄａｔａ  Ｏｐｔｉｍｉｚｅｄ（ＥＶ−ＤＯ）、１ｘＥＶ−ＤＯ、ＥＶ−ＤＯ  Ｒｅｖ  Ａ、ＥＶ−ＤＯ  Ｒｅｖ  Ｂ、高速パケットアクセス（ＨＳＰＡ）、高速ダウンリンクパケットアクセス（ＨＳＤＰＡ）、高速アップリンクパケットアクセス（ＨＳＵＰＡ）、発展型高速パケットアクセス（ＨＳＰＡ＋：Ｅｖｏｌｖｅｄ  Ｈｉｇｈ  Ｓｐｅｅｄ  Ｐａｃｋｅｔ  Ａｃｃｅｓｓ）、Ｌｏｎｇ  Ｔｅｒｍ  Ｅｖｏｌｕｔｉｏｎ（ＬＴＥ）、ＡＭＰＳ、または３Ｇ、４Ｇもしくは５Ｇ技術を利用するシステムなど、ワイヤレスネットワーク内で通信するために使用される他の既知の信号を受信するように設計され得る。トランシーバ４７は、アンテナ４３から受信された信号を、プロセッサ２１によって受信でき、さらにプロセッサ２１によって操作できるように前処理することができる。トランシーバ４７はまた、プロセッサ２１から受信された信号を、アンテナ４３を介してディスプレイデバイス４０から送信できるように処理することができる。
【００８８】
いくつかの実装形態では、トランシーバ４７は、受信機によって置き換えられ得る。さらに、いくつかの実装形態では、ネットワークインターフェース２７は、プロセッサ２１に送られることになる画像データを記憶または生成することができる画像ソースによって置き換えられ得る。プロセッサ２１は、ディスプレイデバイス４０の動作全体を制御することができる。プロセッサ２１は、圧縮された画像データなどのデータを、ネットワークインターフェース２７または画像ソースから受信し、そのデータを生の画像データへ、または生の画像データに素早く変換できるフォーマットへと処理する。プロセッサ２１は、処理されたデータをドライバコントローラ２９に、または記憶のためにフレームバッファ２８に送ることができる。生データは通常、画像内の各ロケーションにおける画像特性を識別する情報を指す。たとえば、そのような画像特性は、色、飽和度およびグレースケールレベルを含み得る。
【００８９】
プロセッサ２１は、ディスプレイデバイス４０の動作を制御するためのマイクロコントローラ、ＣＰＵまたは論理ユニットを含み得る。調整ハードウェア５２は、スピーカ４５に信号を送信するための、およびマイクロフォン４６から信号を受信するための増幅器およびフィルタを含み得る。調整ハードウェア５２は、ディスプレイ４０内の個別構成要素であってよく、またはプロセッサ２１もしくは他の構成要素に組み込まれてもよい。
【００９０】
ドライバコントローラ２９は、プロセッサ２１によって生成された生画像データを、直接プロセッサ２１から、またはフレームバッファ２８から取得でき、かつ生画像データをアレイドライバ２２への高速送信に向けて適切に再フォーマットすることができる。いくつかの実装形態では、ドライバコントローラ２９は、生画像データを、ディスプレイアレイ３０でスキャンするのに適した時間的順序を有するように、ラスタ様フォーマットを有するデータフローに再フォーマットすることができる。ドライバコントローラ２９は、フォーマットされた情報をアレイドライバ２２に送る。ＬＣＤコントローラなどのドライバコントローラ２９は、独立型集積回路（ＩＣ）としてシステムプロセッサ２１に関連付けられることが多いが、そのようなコントローラは、多くの方法で実装され得る。たとえば、コントローラは、ハードウェアとしてプロセッサ２１中に埋め込まれること、ソフトウェアとしてプロセッサ２１中に埋め込まれること、またはアレイドライバ２２とハードウェアで完全に統合されることがある。
【００９１】
アレイドライバ２２は、フォーマットされた情報をドライバコントローラ２９から受信することができ、ビデオデータを、ディスプレイ要素のディスプレイのｘ−ｙマトリクスから来る数百、場合によっては数千（またはそれよりも多く）のリード線（ｌｅａｄ）に１秒当たり多数回適用される波形の並列セットに再フォーマットすることができる。いくつかの実装形態では、アレイドライバ２２、およびディスプレイアレイ３０は、ディスプレイモジュールの一部である。いくつかの実装形態では、ドライバコントローラ２９、アレイドライバ２２、およびディスプレイアレイ３０は、ディスプレイモジュールの一部である。
【００９２】
いくつかの実装形態では、ドライバコントローラ２９、アレイドライバ２２、およびディスプレイアレイ３０は、本明細書で説明するタイプのデバイスのいずれにも適している。たとえば、ドライバコントローラ２９は、従来型のディスプレイコントローラまたは双安定ディスプレイコントローラ（機械的光変調器ディスプレイ要素コントローラなど）であり得る。さらに、アレイドライバ２２は、従来型のドライバまたは双安定ディスプレイドライバ（機械的光変調器ディスプレイ要素コントローラなど）であり得る。その上、ディスプレイアレイ３０は、従来型のディスプレイアレイまたは双安定ディスプレイアレイ（機械的光変調器ディスプレイ要素のアレイを含むディスプレイなど）であり得る。いくつかの実装形態では、ドライバコントローラ２９は、アレイドライバ２２と統合され得る。そのような実装形態は、高集積システム、たとえば、携帯電話、ポータブル電子デバイス、ウォッチまたは小型ディスプレイ（ｓｍａｌｌ−ａｒｅａ  ｄｉｓｐｌａｙ）において有用であり得る。
【００９３】
いくつかの実装形態では、入力デバイス４８は、たとえば、ユーザがディスプレイデバイス４０の動作を制御することを可能にするように構成され得る。入力デバイス４８は、ＱＷＥＲＴＹキーパッドもしくは電話キーパッドなどのキーパッド、ボタン、スイッチ、ロッカー、タッチセンシティブスクリーン、ディスプレイアレイ３０と統合されたタッチセンシティブスクリーン、または感圧性もしくは感熱性の膜を含むことができる。マイクロフォン４６は、ディスプレイデバイス４０の入力デバイスとして構成され得る。いくつかの実装形態では、マイクロフォン４６を介したボイスコマンドが、ディスプレイデバイス４０の動作を制御するために使用され得る。
【００９４】
電源５０は、様々なエネルギー蓄積デバイスを含むことができる。たとえば、電源５０は、ニッケルカドミウムバッテリーまたはリチウムイオンバッテリーなどの充電式バッテリーであり得る。充電式バッテリーを使用した実装形態では、充電式バッテリーは、たとえば、壁コンセントまたは光起電デバイスもしくはアレイから来る電力を使用して充電可能であり得る。代替的に、充電式バッテリーはワイヤレス充電可能であり得る。電源５０は、再生可能エネルギー源、キャパシタ、またはプラスチック太陽電池もしくは太陽電池塗料を含む太陽電池であってもよい。電源５０はまた、壁コンセントから電力を受け取るように構成され得る。
【００９５】
いくつかの実装形態では、電子ディスプレイシステム内のいくつかの場所に位置し得るドライバコントローラ２９に制御プログラマビリティが存在する。いくつかの他の実装形態では、アレイドライバ２２に制御プログラマビリティが存在する。上述の最適化は、任意の数のハードウェアおよび／またはソフトウェア構成要素において、および様々な構成で実施され得る。
【００９６】
本明細書で使用する、アイテムのリスト「のうちの少なくとも１つ」を指すフレーズは、単一メンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するように意図される。
【００９７】
本明細書で開示した実装形態に関連して説明した様々な例示的な論理、論理ブロック、モジュール、回路およびアルゴリズムのプロセスは、電子ハードウェア、コンピュータソフトウェア、または両方の組合せとして実装され得る。ハードウェアとソフトウェアの互換性は、全体的にそれらの機能に関して説明し、上述の様々な例示的な構成要素、ブロック、モジュール、回路およびプロセスにおいて示してきた。そのような機能がハードウェアとして実装されるか、またはソフトウェアとして実装されるかは、特定の適用例および全体的なシステムに課された設計制約に依存する。
【００９８】
本明細書で開示した態様に関連して説明した様々な例示的な論理、論理ブロック、モジュールおよび回路を実装するために使用されるハードウェアおよびデータ処理装置は、汎用シングルチッププロセッサもしくは汎用マルチチッププロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または、本明細書で説明した機能を実行するように設計されたそれらの任意の組合せで、実装または実行することができる。汎用プロセッサはマイクロプロセッサ、または任意の従来のプロセッサ、コントローラ、マイクロコントローラ、もしくは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。いくつかの実装形態では、特定のプロセスおよび方法は、所与の機能に固有の回路によって実行され得る。
【００９９】
１つまたは複数の態様では、説明した機能は、本明細書で開示した構造およびそれらの構造の同等物を含む、ハードウェア、デジタル電子回路、コンピュータソフトウェア、ファームウェアにおいて、またはそれらの任意の組合せで実装され得る。本明細書で説明した対象の実装形態はまた、１つまたは複数のコンピュータプログラム、すなわち、データ処理装置による実行のために、またはデータ処理装置の動作を制御するために、コンピュータ記憶媒体上に符号化されたコンピュータプログラム命令の１つまたは複数のモジュールとして実装され得る。
【０１００】
ソフトウェアで実装される場合、機能を１つまたは複数の命令またはコードとしてコンピュータ可読媒体に記憶すること、またはコンピュータ可読媒体を介して送信することができる。本明細書で開示した方法またはアルゴリズムのプロセスは、コンピュータ可読媒体上に存在し得るプロセッサ実行可能ソフトウェアモジュールで実施され得る。コンピュータ可読媒体は、コンピュータ記憶媒体と通信媒体の両方を含み、これらは、ある場所から別の場所へのコンピュータプログラムの転送を可能にし得る任意の媒体を含む。記憶媒体は、コンピュータによってアクセスされ得る任意の利用可能な媒体であってよい。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置もしくは他の磁気記憶デバイス、または命令もしくはデータ構造の形式で所望のプログラムコードを記憶するために使用でき、コンピュータによってアクセスできる任意の他の媒体を含むことができる。また、あらゆる接続がコンピュータ可読媒体と適切に呼ばれ得る。本明細書で使用するディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイディスク（ｄｉｓｃ）を含み、ディスク（ｄｉｓｋ）は通常、データを磁気的に再生し、ディスク（ｄｉｓｃ）はレーザで光学的にデータを再生する。上記の組合せも、コンピュータ可読媒体の範囲内に含まれる。さらに、方法またはアルゴリズムの動作は、コンピュータプログラム製品に組み込まれ得る、機械可読媒体およびコンピュータ可読媒体上に１つまたは任意の組合せまたはセットのコードおよび命令として存在し得る。
【０１０１】
本開示で説明した実装形態の様々な修正形態が当業者にはすぐに理解でき、本明細書に定める一般的原理は、本開示の趣旨または範囲から離れることなく他の実装形態に適用できる。したがって、特許請求の範囲は、本明細書に示す実装形態に限定されることを意図しておらず、本開示、この原理および本明細書で開示する新規の特徴と合致する最大の範囲を認めるものである。
【０１０２】
さらに、当業者は、「上側」および「下側」という用語が、図の説明を簡単にするために使用されることがあり、適切に配向されたページ上の図の方位に対応する相対位置を示しており、実装される任意のデバイスの適切な方位を反映していない場合があることを容易に諒解する。
【０１０３】
個別の実装形態との関連で本明細書で説明しているいくつかの特徴は、単一の実装形態において組合せで実装されてもよい。反対に、単一の実装形態との関連で説明している様々な特徴は、複数の実装形態で個別に、または任意の適切な副組合せで実装されてもよい。さらに、特徴は一定の組合せで機能するものとして上述され、当初はそういうものとして特許請求されることもあるが、特許請求される組合せによる１つまたは複数の特徴は、場合によっては、当該組合せにより実施可能であり、特許請求される組合せは、副組合せまたは副組合せの変形を対象にし得る。
【０１０４】
同様に、動作は特定の順序で図面に示されているが、これについては、所望の結果を達成するために、そのような動作を示された特定の順序でもしくは順次に実行すること、またはすべての示された動作を実行することを要求するものとして理解すべきではない。さらに、図面は、１つまたは複数の例示的なプロセスをフロー図の形式で概略的に示し得る。しかしながら、図示されていない他の動作を、概略的に示す例示的なプロセスに組み込むことができる。たとえば、１つまたは複数の追加の動作は、示された動作のいずれかの前、示された動作のいずれかの後、示された動作のいずれかと同時に、または示された動作のいずれかの間に実行され得る。いくつかの状況において、マルチタスキングおよび並列処理は有利であり得る。また、上述の実装形態における様々なシステム構成要素の分離については、すべての実装形態でかかる分離を要求するものとして理解すべきではなく、説明されるプログラム構成要素およびシステムは一般に単一のソフトウェア製品への統合、または複数のソフトウェア製品へのパッケージ化が可能であると理解されたい。さらに、他の実装形態も、以下の特許請求の範囲内に入る。場合によっては、請求項に記載のアクションは、異なる順序で実行されながらもなお、望ましい結果を達成することが可能である。
【符号の説明】
【０１０５】
２１  プロセッサ
２２  アレイドライバ
２７  ネットワークインターフェース
２８  フレームバッファ
２９  ドライバコントローラ
３０  ディスプレイ
４０  ディスプレイデバイス
４１  ハウジング
４３  アンテナ
４５  スピーカ
４６  マイクロフォン
４７  トランシーバ
４８  入力デバイス
５０  電源
５２  調整ハードウェア
１００  直視型ＭＥＭＳ方式ディスプレイ装置
１０２  光変調器
１０２ａ、１０２ｂ、１０２ｃ、１０２ｄ  光変調器
１０４  画像
１０５、１４０、１４２、１４４、１４６  ランプ
１０６  画素
１０８、４０６、５０３  シャッター
１０９  開口
１１０  書込み許可相互接続
１１２  データ相互接続
１１４  共通相互接続
１２０  ホストデバイス
１２２  ホストプロセッサ
１２４  センサモジュール
１２６  ユーザ入力モジュール
１２８  ディスプレイ装置
１３０  スキャンドライバ
１３２  データドライバ
１３４  コントローラ
１３８  共通ドライバ
１４８  ランプドライバ
１５０  ディスプレイ要素アレイ
２００  シャッターアセンブリ
４００  光変調器
４０２  シャッター開アクチュエータ
４０４  シャッター閉アクチュエータ
４０８、５０５  アンカ
４０９  開口
４１２  シャッター開口
４１６  重複
５００  ディスプレイ装置
５０２  シャッターアセンブリ
５０４  基板
５０６  開口層
５０６ａ  第１の開口層開口（第１のＡＬ開口）
５０６ｂ  第２の開口層開口（第２のＡＬ開口）
５０８  バックライト
５１０  カバープレート
５１２  遮光層
５１２ａ  第１の遮光層開口（第１のＬＢＬ開口）
５１２ｂ  第２の遮光層開口（第２のＬＢＬ開口）
５１４  光線
５１６  光線
５２０  矢印
６００  ディスプレイ装置
６０２  二重アクチュエータシャッターアセンブリ
６０３  シャッター
６０４  基板
６０５  アンカ
６０６  開口層
６０６ａ  第１の非対称ＡＬ開口
６０６ｂ  第２の非対称ＡＬ開口
６０８  バックライト
６１０  カバープレート
６１２  遮光層
６１２ａ  第１の非対称ＬＢＬ開口
６１２ｂ  第２の非対称ＬＢＬ開口
６１４  光線
６１６  光線
７００  ディスプレイ装置
７０２  シャッターアセンブリ
７０３  シャッター
７０４  基板
７０５  アンカ
７０６  開口層
７０６ａ  第１の非対称ＡＬ開口
７０６ｂ  第２の非対称ＡＬ開口
７０６ｃ  第３の非対称ＡＬ開口
７０８  バックライト
７１０  カバープレート
７１２  遮光層
７１２ａ  第１の非対称ＬＢＬ開口
７１２ｂ  第２の非対称ＬＢＬ開口
７１２ｃ  第３の非対称ＬＢＬ開口
７１４  光線
７１６  光線
７１８  光線
【図１Ａ】
2016526179.tif 000003
【図１Ｂ】
2016526179.tif 000004
【図２Ａ】
2016526179.tif 000005
【図２Ｂ】
2016526179.tif 000006
【図３】
2016526179.tif 000007
【図４Ａ】
2016526179.tif 000008
【図４Ｂ】
2016526179.tif 000009
【図５Ａ】
2016526179.tif 000010
【図５Ｂ】
2016526179.tif 000011
【図６】
2016526179.tif 000012
【図７Ａ】
2016526179.tif 000013
【図７Ｂ】
2016526179.tif 000014
【手続補正書】
【提出日】平成27年3月11日(2015.3.11)
【手続補正１】
【補正対象書類名】明細書
【補正対象項目名】００４３
【補正方法】変更
【補正の内容】
【００４３】
各開口は、その周囲に、少なくとも１つの辺をもつ。たとえば、方形開口４０９は、４つの辺をもつ。円形、楕円、卵型、または他の湾曲開口が開口層４０７に形成される代替実装形態では、各開口は、単一辺のみを有し得る。いくつかの他の実装形態では、開口は、構造的な意味において分離され、または独立する必要はなく、連結されてよい。すなわち、開口の一部または成形断面が、各シャッターとの対応を維持し得る間、これらのセクションのいくつかは、開口の単一の連続外周が複数のシャッターによって共有されるように連結され得る。
【手続補正２】
【補正対象書類名】明細書
【補正対象項目名】００６０
【補正方法】変更
【補正の内容】
【００６０】
開口層６０６は、基板６０４の前方に面する側に沿って配置される。図３に示される開口層５０６と同様に、図４Ａの開口層６０６は後方に面する光反射膜も含むことができる。しかしながら、均等なサイズの第１のＡＬ開口５０６ａおよび第２のＡＬ開口５０６ｂ（図３に示される）とは異なり、第１の非対称ＡＬ開口６０６ａおよび第２の非対称ＡＬ開口６０６ｂは異なるサイズからなる。詳細には、長方形の形状をなす開口の場合、第１の非対称ＡＬ開口６０６ａの短辺のサイズは、第２の非対称ＡＬ開口６０６ｂの短辺のサイズの２倍とすることができる。しかし、第１の非対称ＡＬ開口６０６ａおよび第２の非対称ＡＬ開口６０６ｂの長辺のサイズは実質的に同様とすることができる。これらの寸法関係は例示にすぎないことは理解されたい。いくつかの実施態様では、第１の非対称ＡＬ開口６０６ａの短辺は、第２の非対称ＡＬ開口６０６ｂの短辺より２５％大きくすることができる。いくつかの他の実施態様では、第１の非対称ＡＬ開口６０６ａの短辺は、第２の非対称ＡＬ開口６０６ｂの短辺より約２５％から約１００％だけ大きくすることができる。一般的に、第１の非対称ＡＬ開口６０６ａおよび第２の非対称ＡＬ開口６０６ｂの種々の相対的寸法は、必要とされる角度光分布特性に基づいて選択することができる。
【手続補正３】
【補正対象書類名】明細書
【補正対象項目名】００６５
【補正方法】変更
【補正の内容】
【００６５】
いくつかの実施態様では、図４Ａの開口層６０６内の開口６０６ａおよび６０６ｂにわたる全幅および面積は、図３の開口層５０６内の開口５０６ａおよび５０６ｂにわたる全幅および面積と実質的に等しくすることができる。したがって、開口層６０６および遮光層６１２内の開口６０６ａおよび６０６ｂがそれぞれ開口層５０６および遮光層５１２内の開口とサイズが異なる場合であっても、図４Ａのディスプレイ装置６００によって出力される光の量は、図３のディスプレイ装置５００によって出力される光と実質的に同じにすることができる。
【手続補正４】
【補正対象書類名】明細書
【補正対象項目名】００７３
【補正方法】変更
【補正の内容】
【００７３】
図５Ａは、非対称の開口を組み込んだ別の例示的なディスプレイ装置７００の断面図を示す。詳細には、シャッターアセンブリ７０２は、第１の非対称ＡＬ開口７０６ａと、第２の非対称ＡＬ開口７０６ｂと、第３の非対称ＡＬ開口７０６ｃとを有する開口層７０６を含み、第３の非対称ＡＬ開口層７０６ｃは、他の２つの非対称ＡＬ開口より狭い。さらに、ディスプレイ装置７００は、第１の非対称ＬＢＬ開口７１２ａと、第２の非対称ＬＢＬ開口７１２ｂと、第３の非対称ＬＢＬ開口７１２ｃとを有する遮光層７１２も含み、第３の非対称ＬＢＬ開口７１２ｃは、他の２つの非対称ＬＢＬ開口より狭い。
【手続補正５】
【補正対象書類名】明細書
【補正対象項目名】００８３
【補正方法】変更
【補正の内容】
【００８３】
図７Ａおよび図７Ｂは、複数のディスプレイ要素を含む例示的なディスプレイデバイス４０のシステムブロック図である。ディスプレイデバイス４０は、たとえば、スマートフォン、セルラー電話または携帯電話であり得る。ただし、ディスプレイデバイス４０の同じ構成要素またはその若干異なる形態はまた、テレビ、コンピュータ、タブレット、電子リーダー、ハンドヘルドデバイス、およびポータブルメディアデバイスなど、様々なタイプのディスプレイデバイスを示す。
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
電気機械システム（ＥＭＳ）ディスプレイ要素を有する装置であって、
それぞれが少なくとも１つの短辺と、前記少なくとも１つの短辺より長い少なくとも１つの長辺とを有する実質的に長方形の形状を有する、少なくとも第１の遮光層開口および第２の遮光層開口を画定する遮光層であって、前記第１の遮光層開口は前記第２の遮光層開口の対応する短辺より少なくとも約２５％大きい少なくとも１つの短辺を有する、遮光層と、
前記遮光層の上方に支持され、遮光状態において前記第１の遮光層開口と前記第２の遮光層開口の両方を光が通り抜けるのを選択的に阻止し、透光状態において前記第１の遮光層開口と前記第２の遮光層開口の両方を光が通り抜けるのを選択的に許すために前記遮光状態と前記透光状態との間で移動するように構成される光遮断構成要素とを備え、
前記第２の遮光層開口の前記対応する短辺より少なくとも２５％大きい前記第１の遮光層開口の前記少なくとも１つの短辺は、前記光遮断構成要素の運動軸に実質的に平行である、電気機械システム（ＥＭＳ）ディスプレイ要素を有する装置。
【請求項２】
前記光遮断構成要素は、前記光遮断構成要素が前記透光状態にあるときに、前記光遮断構成要素が、前記第１の遮光層開口および前記第２の遮光層開口のうちの少なくとも一方と実質的に整列するような光遮断構成要素開口を画定する、請求項１に記載の装置。
【請求項３】
前記遮光層は少なくとも第３の遮光層開口を画定し、前記光遮断構成要素は、前記遮光状態において、前記少なくとも第３の遮光層開口を光が通り抜けるのを阻止し、前記透光状態において、前記少なくとも第３の遮光層開口を光が通り抜けるのを許すように構成される、請求項１に記載の装置。
【請求項４】
前記少なくとも第３の遮光層開口は、前記第１の遮光層開口と実質的に同じ寸法を有する、請求項３に記載の装置。
【請求項５】
前記第１の遮光層開口、前記第２の遮光層開口および少なくとも第３の遮光層開口は、前記光遮断構成要素の前記運動軸に沿って実質的に一列に配置され、前記第２の遮光層開口は前記列の一端に位置決めされる、請求項４に記載の装置。
【請求項６】
前記第１の遮光層開口の少なくとも１つの短辺は、前記第２の遮光層開口の前記対応する短辺より約１００％大きい、請求項１に記載の装置。
【請求項７】
前記ＥＭＳディスプレイ要素を含むディスプレイと、
前記ディスプレイと通信するように構成されるプロセッサであって、前記プロセッサは画像データを処理するように構成される、プロセッサと、
前記プロセッサと通信するように構成されるメモリデバイスとをさらに備える、請求項１に記載の装置。
【請求項８】
前記ディスプレイはさらに、
少なくとも１つの信号を前記ディスプレイに送るように構成されるドライバ回路と、
前記ドライバ回路に前記画像データの少なくとも一部分を送るように構成されるコントローラとを含む、請求項７に記載の装置。
【請求項９】
前記ディスプレイはさらに、
前記画像データを前記プロセッサに送るように構成される画像ソースモジュールを含み、前記画像ソースモジュールは、受信機、トランシーバ、および送信機のうちの少なくとも１つを備える、請求項７に記載の装置。
【請求項１０】
前記ディスプレイはさらに、
入力データを受信し、前記入力データを前記プロセッサに通信するように構成される入力デバイスを含む、請求項７に記載の装置。
【請求項１１】
ディスプレイ装置を形成するための方法であって、前記方法は、
基板上に遮光層を形成するステップであって、前記遮光層を形成するステップは、第１の開口および第２の開口を形成することを含み、前記第１の開口および前記第２の開口はそれぞれ実質的に長方形の形状を有し、前記第１の開口が前記第２の開口の対応する短辺より少なくとも約２５％大きい少なくとも１つの短辺を有するような、少なくとも１つの短辺と、前記少なくとも１つの短辺より長い少なくとも１つの長辺とを含む、形成するステップと、
遮光状態において前記第１の開口と前記第２の開口の両方を光が通り抜けるのを選択的に阻止し、透光状態において前記第１の開口と前記第２の開口の両方を光が通り抜けるのを選択的に許すために前記遮光状態と前記透光状態との間で移動するように構成される可動光遮断構成要素を形成するステップとを含み、
前記遮光層を形成するステップは、前記第２の開口の前記対応する短辺より少なくとも２５％大きい前記第１の開口の前記少なくとも１つの短辺が、前記光遮断構成要素の運動軸に実質的に平行であるような、前記第１の開口および前記第２の開口を形成することを含む、ディスプレイ装置を形成するための方法。
【請求項１２】
前記可動光遮断構成要素を形成するステップは、前記光遮断構成要素が前記透光状態にあるときに、光遮断構成要素開口が前記第１の開口および前記第２の開口のうちの少なくとも１つと実質的に整列するような、前記光遮断構成要素開口を画定することを含む、請求項１１に記載の方法。
【請求項１３】
前記遮光層を形成するステップはさらに、前記第１の開口の前記寸法と実質的に同じ寸法を有する第３の開口を形成することを含む、請求項１２に記載の方法。
【請求項１４】
前記遮光層を形成するステップはさらに、前記第１の開口、前記第２の開口および前記第３の開口を前記光遮断構成要素の運動軸に沿って実質的に一列に配置することを含む、請求項１３に記載の方法。
【請求項１５】
前記遮光層を形成するステップはさらに、前記第１の開口の少なくとも１つの短辺が前記第２の開口の前記対応する短辺より１００％大きいような前記第１の開口および前記第２の開口を形成することを含む、請求項１１に記載の方法。
【国際調査報告】
2016526179.tif 000015
2016526179.tif 000016